(57)【要約】【課題】従来のＦＰＣ用コネクタや異方性導電フィルムによる接続方法等では近年の機器設計の小型化に対して対応が難しく、接続の省スペース化と共に部品削減や工数低減による低コスト化が要望されている。【解決手段】多層ＦＰＣの一部分に絶縁体より信号導体またはグラウンド導体を露出させたフライングリード部を形成し、その部分にはんだ等で表面処理をして、フラングリード端子を形成することにより、他の機器の基板と直接はんだ接続が可能になるだけでなく、前記の多層ＦＰＣの構成により、マイクロストリップ回路構造及びストリップ回路構造を形成し、指定された絶縁体層の絶縁体層厚さと指定された信号導体の導体幅と導体厚を絶縁体の誘電率を最適値に設定することにより、特性インピーダンスの整合を得ると共に、信号導体を多層化した電源層または電源パターン及び接地層または接地パターンの間に構成することで、低ノイズ特性を可能にする。【選択図】        図１
2004228344.tif 000002
【特許請求の範囲】
【請求項１】
複数の絶縁体層とこの絶縁体層に積層された複数の信号導体とグラウンド導体からなる多層ＦＰＣにおいて、前記絶縁体層の一部を除去し、信号導体またはグラウンド導体の一部を露出することによりフライングリード部を形成したことを特徴とする多層ＦＰＣ。
【請求項２】
請求項１において、マイクロストリップ回路構造及びストリップ回路構造を形成し、その複数の絶縁体層のうちの指定された絶縁体層の厚さと誘電率及びその複数の導体層のうちの指定された信号導体の導体幅と導体厚を最適値に設定することにより、特性インピーダンスの整合を計ったことを特徴とする多層ＦＰＣ。
【請求項３】
請求項２のストリップ回路構造において、信号導体の四方をグラウンド導体で囲うことにより、低ノイズ特性を有することを特徴とする多層ＦＰＣ。
【請求項４】
請求項１、請求項２、請求項３のフライングリード部に表面処理をしてフライングリード端子を形成したことを特徴とする多層ＦＰＣ。
【発明の詳細な説明】
【０００１】
【発明が属する技術分野】
本発明は、複数の絶縁体層と複数の信号導体とグラウンド導体からなる多層ＦＰＣの一部に、フライングリード部（両面露出構造において、導体の両側共絶縁体がなく裸になっている部分。通常、表面処理としては、金めっきやはんだめっきを施してフライングリード端子とした上で、各種の接続用途に使用する。）を形成した多層ＦＰＣに関し、低ノイズ特性と接続の自由度が向上すると共に、従来のＦＰＣコネクタ等の部材が不要となり、コスト削減や省スペース化に寄与し、高速伝送機器への使用に最適な多層ＦＰＣに関する。
【０００２】
【従来の技術】
従来の多層ＦＰＣは、パソコン等の高密度な電子機器用に使用され、その構造は、図４（イ）に示すように、一般的にはポリイミド材による絶縁体層と電解銅箔または圧延銅箔により構成される両面ＦＰＣ銅張板の銅箔をエッチングして導体形成した複数枚のＦＰＣを熱硬化性の接着剤により熱圧着プレスにより積層するもので、各導体層間の接続はスルーホールにより接続されている。
【０００３】
また、近年は、図４（ロ）に示すように、ベースとなるＦＰＣに絶縁体をいわゆるビルドアップ工法により順次積層して絶縁体層を形成し、フォトリソ加工またはレーザー加工で絶縁体層にバイアホールを形成してそのバイアホールに無電解めっきまたは電解めっきを施すことで各導体層間の接続を形成するものも報告されている。
【０００４】
このような多層ＦＰＣを使用し、高速伝送機器用としてその絶縁体層の層間の厚さや中間の導体幅等を適正値に設計したマイクロストリップ（絶縁体層の一方の面に信号導体、その反対面にグラウンドの電位のグラウンド層、電源層を持つ電送線路）回路構造やストリップライン構造｛  図４（ハ）に示すように信号導体の両側に絶縁体を介して、２つのグラウンド導体を平行に配置させた構造の電送線路  ｝の回路設計により、その特性インピーダンス整合を考慮したものが実用化されている。このように、ストリップライン構造は、信号導体を挟んで電源層またはグラウンド層を相対して形成し、その間に絶縁体層からなる誘電体層を形成することで、信号導体の特性インピーダンスを整合するものである。
【０００５】
また、信号導体の一部が絶縁体から露出したいわゆるフライングリード部については、ＴＡＢ（Ｔａｐｅ  Ａｕｔｏｍａｔｅｄ  Ｂｏｎｄｉｎｇ）フィルムで一般的に用いられている。
【０００６】
【発明が解決しようとする課題】
この様な特性インピーダンス整合を考慮した設計の多層ＦＰＣを高速伝送機器に使用する場合、機器やプリント配線板と多層ＦＰＣとの接続はＦＰＣ用コネクタを使用したり、または多層ＦＰＣに形成した接続端子部からの異方性導電フィルム等での接続により実施されてきた。しかし近年のあらゆる機器装置の小型化に伴いコネクタを使用した接続や接続端子部による異方性導電フィルムによる接続等ではその機器設計の小型化に対して対応が難しくなってきており、接続の省スペース化と共に部品削減や工数低減によるコストダウンが望まれている。
【０００７】
また、ＴＡＢではいわゆるフライングリード部を有する構造は一般的であるが、ＴＡＢの構成は絶縁体層の片面のみに導体層のある片面ＴＡＢがその殆どであり、複数との導体層を持つＴＡＢとしては導体層の片面に絶縁体層を挟んで電源層を有した両面ＴＡＢがマイクロストリップ設計の為に使用される程度で、３層以上の導体層を有した多層化ＴＡＢは製造が困難な為に実用化がされていない。
【０００８】
本発明はこのような現状を踏まえてなされたものであり、多層ＦＰＣにおいてその構造の一部分に信号導体のフライングリード部を形成することで、マイクロストリップ回路構造及びストリップ回路構造での特性インピーダンス整合による高速伝送機器への対応だけでなく、電源層や接地層を有する多層化による低ノイズ特性の確保による精密機器への対応も可能になる。また、接続部品や接続コストの削減への対応を可能とする多層ＦＰＣを提供するものである。
【０００９】
【課題を解決するための手段】
本発明は、これらの問題を解決するために、鋭意検討した結果、多層ＦＰＣの一部分に絶縁体より信号導体を露出させたフライングリード部を形成し、その部分にはんだ等で表面処理をして、フラングリード端子を形成することにより、他の機器の基板と直接はんだ接続が可能になるだけでなく、前記の多層ＦＰＣの構成により、マイクロストリップ回路構造及びストリップ回路構造を形成し、指定された絶縁体層の絶縁体層厚さと指定された信号導体の導体幅と導体厚を絶縁体の誘電率と一定の計算式で、適正値に設定することにより、最適な特性インピーダンスを得ると共に、信号導体を多層化した電源層または電源パターン及び接地層または接地パターンの間に構成することで、低ノイズ特性を可能にする。
【００１０】
【発明の実施の形態】
以下、本発明の多層ＦＰＣ１の実施形態について添付図面を参照して詳細に説明する。
【００１１】
【実施例】
図１（イ）は、本発明の多層ＦＰＣ１の第１実施例で、表層にフライングリード部５を設けた３層ＦＰＣの平面図と側面からみた断面図である。図から明らかなように、本発明の多層ＦＰＣは、複数の絶縁体層とこの絶縁体層に積層された複数の信号導体とグラウンド導体で構成されている。ここで、多層ＦＰＣの表層の絶縁層より導体を露出させたことにより、フライングリード部を形成した構造である。また、内層にフライングリード部を形成しても構わない。本発明の具体的な製造方法としては、代表的なプリパンチ法やレーザー加工法（炭酸ガス、ヤグ、イキシマ等）等で行った。又、本発明の構成材の代表的なものとしては、ポリイミド樹脂、ポリエステル樹脂、エポキシ系樹脂、４フッ化エチレン樹脂、ガラスエポキシ樹脂、液晶ポリマー等が挙げられるが、必ずしもこれに限らなくても構わない。このように、フライングリード部は、絶縁体がなく裸になっている部分であるので、通常、表面処理をする必要がある。表面処理としては、金めっきやはんだめっきを施してフライングリード端子とする。もっと詳細に述べると、本発明の表面処理は、はんだ、金、ニッケル等の無電解、または電解によるめっきまたは耐熱プリフラックス処理が施したもので、これにより各種の接続用途に使用が可能になる。ここで、バイアホールはスルーホールでも良い。また、ＦＰＣの表面は絶縁性確保と導体保護の為のフィルムまたはインクによる保護をする為のカバーレイ７が施されている。次に、図１（ロ）は、本発明の多層ＦＰＣ１の第１実施例を他の機器の基板９にはんだ１０で接続した使用例を示す。絶縁体より露出したフライングリード部５にはんだ等で表面処理してフライングリード端子を形成することにより、機器の基板の接続端子１１へ直接にはんだ接続をすることが可能になる。従来のＦＰＣの端子では端子の下側にはベースの絶縁体があり、直接はんだ付けをすることは不可能であった。その他の使用例として、図には示さないが、ボンディングワイヤによる接続方法でも構わない。
【００１２】
次に、図２（イ）は、本発明の多層ＦＰＣ１の第２実施例で、内層にフライングリード部５を設けた３層ＦＰＣの側面からみた断面図である。３層ＦＰＣは絶縁体層４と信号導体２とグラウンド導体３により構成されている。導体を絶縁層より露出させたフライングリード部５は、内層に設けられた信号導体２で構成されている。第１実施例と同様にＦＰＣの表面はカバーレイ７が施されている。
【００１３】
更に、図２（ロ）は、本発明の多層ＦＰＣ１の第３実施例で、内層にフライングリード部５を設けた４層ＦＰＣの側面からみた断面図である。４層ＦＰＣは絶縁体層４と信号導体２とグラウンド導体３により構成されている。導体を絶縁層より露出させたフライングリード部５は、第２実施例と同様に内層の信号導体で構成されている。また、第１実施例と同様にＦＰＣの表面はカバーレイ７が施されている。
【００１４】
図３（イ）は、本発明のストリップ回路構造における特性インピーダンスの整合を計った第４実施例である。３層ＦＰＣは、絶縁体層４と信号導体２とグラウンド導体３により構成されている。信号導体２のパターンは、計算された導体幅Ｗ１で形成され、信号導体２のパターンとグラウンド３との距離、つまり、信号導体２のパターンとグラウンド導体との絶縁体の厚さは、計算された絶縁体厚のｔ１で構成されている。この時、絶縁体層４を構成する絶縁材料の固有する誘電率ε１により、下記の数式１に示す計算式で導体信号２のパターンの特性インピーダンスであるＺ０１を算出することが出来る。
【００１５】
【数１】
2004228344.tif 000003
【００１６】
下記の表１にその設定値の例を示す。
【００１７】
【表１】
2004228344.tif 000004
【００１８】
次に、図３（ロ）は、３層ＦＰＣのマイクロストリップ回路構造によるパターンの特性インピーダンスＺ０２の設定例である。絶縁体層４と信号導体２とグラウンド３により構成される。この場合、特性インピーダンスのＺ０２は下記の数式２に示す計算式で算出することが出来る。
【００１９】
【数２】
2004228344.tif 000005
【００２０】
本発明の３層ＦＰＣの場合の特性インピーダンスのＺ０２の設定値の例を以下の表２に示す。
【００２１】
【表２】
2004228344.tif 000006
【００２２】
図３（ハ）は、本発明の多層構造における低ノイズ化構造の第６実施例である。３層ＦＰＣは、絶縁体層４と信号導体２とグラウンド導体３により構成されている。例えば、信号導体２のパターンは、横方向に設けたグランド導体３で挟んだ構造により外部からのノイズの影響を少なく出来ると共に、自身より放射するノイズの外部への影響も減らすことが出来る。また、信号導体２の上下方向に設けたグラウンド導体３を構成すれば耐ノイズ特性は更に向上する。
【００２３】
本発明の実施例では、３層ＦＰＣと４層ＦＰＣを代表例に取って説明をしてきたが、これに限るものではない。また、設計変更に伴う多少の変形例でも何等差し支えない。また、ボンディングワイヤで接続する場合、図には示さないが、表面と裏面の両方から導通を取っても一向に構わず、設計上本発明の範囲内であることはいうまでもない。
【００２４】
【発明の効果】
以上のように本発明の多層ＦＰＣによれば、そのマイクロストリップ回路構造及びストリップ回路構造により特性インピーダンスの整合が可能で、かつ多層構造による低ノイズ特性の確保により高速伝送機器及び精密機器への適用が出来ると共にＦＰＣの一部にフライングリード部構造を形成することにより、機器の基板等へ直接はんだ接続が出来る等の接続の自由度が向上し、かつＦＰＣコネクタ等の部材が不要となるばかりでなく、コスト削減が実現出来て機器の省スペース化にも貢献するものでその工業的価値は非常に大きい。
【図面の簡単な説明】
【図１】（イ）は、本発明の多層ＦＰＣ１の第１実施例で、表層にフライングリード部５を設けた３層ＦＰＣの平面図と側面からみた断面図である。
（ロ）は、本発明の多層ＦＰＣ１の第１実施例を他の機器の基板９の接続端子１１にはんだ１０で接続した使用例を示す。
【図２】（イ）は、本発明の多層ＦＰＣ１の第２実施例で、内層にフライングリード部５を設けた３層ＦＰＣの側面からみた断面図である。
（ロ）は、本発明の多層ＦＰＣ１の第３実施例で、内層にフライングリード部５を設けた４層ＦＰＣの側面からみた断面図である。
【図３】（イ）は、本発明のストリップ回路構造における特性インピーダンスの整合を計った第４実施例である。
（ロ）は、本発明のマイクロストリップ回路構造における特性インピーダンスの整合を計った第５実施例である。
（ハ）は、本発明の多層構造における低ノイズ化構造の第６実施例である。
【図４】（イ）は、従来の多層ＦＰＣ１′にスルーホール８′を施した場合の第１実施例で、側面からみた断面図である。
（ロ）は、従来の多層ＦＰＣ１′でバイアホール６′を施した場合の第２実施例で、側面からみた断面図である。
（ハ）は、従来の多層ＦＰＣ１′でストリップラインの構造例である。
【符号の説明】
１  本発明の多層ＦＰＣ
２  信号導体
３  グラウンド導体
４  絶縁体層
５  フライングリード部
６  バイアホール
７  カバーレイ
８  スルーホール
９  基板
１０  はんだ
１１  他の機器の基板９の接続端子
１′  従来の多層ＦＰＣ
２′  信号導体
３′  グラウンド導体
４′  絶縁体層
６′  バイアホール
７′  カバーレイ
８′  スルーホール
【図１】
2004228344.tif 000007
【図２】
2004228344.tif 000008
【図３】
2004228344.tif 000009
【図４】
2004228344.tif 000010